(57)【要約】【課題】適切なシェーディング補正を行い、白基準板が原稿搬送における妨害物とならず、フレアなどの余分な光の入射が起きず、そして原稿浮きの無い原稿読み取り装置を提供すること。【解決手段】イメージセンサを使用する原稿読み取り装置において、原稿６がイメージセンサ１上を通過する時に支点５を中心に回転する回転体４をシェーディング補正用の白基準板とし、この回転体４が複数の段差４ｄ，４ｅと複数の白基準面４ａ，４ｂ，４ｃを有する。【選択図】　　　　図１
2004061864.tif 000002
【特許請求の範囲】
【請求項１】
イメージセンサを使用する原稿読み取り装置において、原稿がイメージセンサ上を通過する時に支点を中心に回転する回転体をシェーディング補正用の白基準板とし、この回転体が複数の段差と複数の白基準面を有することを特徴とする原稿読み取り装置。
【請求項２】
前記回転体の複数の段差箇所にマスキングを有することを特徴とする請求項１記載の原稿読み取り装置。
【請求項３】
前記イメージセンサが密着型イメージセンサであることを特徴とする請求項１記載の原稿読み取り装置。
【発明の詳細な説明】
【０００１】
【発明の属する技術分野】
本発明は、イメージセンサを有するファクシミリ、複写機、イメージリーダー等においてイメージセンサでのシェーディング補正を行うための白基準機構を有する原稿読み取り装置に関する。
【０００２】
【従来の技術】
従来技術として、特開２００２−１００４１号公報が存在する。しかしながら、この公報に示された技術は、装置が煩雑化し、またコスト高になるという問題がある。また、イメージセンサの照明深度に応じた白基準位置が明確でない。
【０００３】
又、特開平７−１７７３２０号公報および特開平８−２６５４９９号公報に記載されている技術においては、白基準部材は押圧された状態のため、イメージセンサと回転体との押圧との関係で原稿搬送を行っており、十分な原稿搬送通路が確保できていない。また、照明深度ベストポイントがイメージセンサコンタクトガラス面上にあることが前提であり、照明深度のバラツキに対応できない。
【０００４】
【発明が解決しようとする課題】
イメージセンサの照明深度にはバラツキがあり、必ずしもイメージセンサ上のコンタクトガラス面と白基準が完全に当接した点がシェーディング補正をするためのベストポイントとは限らない。
【０００５】
そこで、本発明の目的は、適切なシェーディング補正を行い、白基準板が原稿搬送における妨害物とならず、フレアなどの余分な光の入射が起きず、そして原稿浮きの無い原稿読み取り装置を提供することにある。
【０００６】
【課題を解決するための手段】
前記の課題を解決するために、請求項１記載の発明では、イメージセンサを使用する原稿読み取り装置において、原稿がイメージセンサ上を通過する時に支点を中心に回転する回転体をシェーディング補正用の白基準板とし、この回転体が複数の段差と複数の白基準面を有する原稿読み取り装置を最も主要な特徴とする。
【０００７】
請求項２記載の発明では、前記回転体の複数の段差箇所にマスキングを有する請求項１記載の原稿読み取り装置を主要な特徴とする。
【０００８】
請求項３記載の発明では、前記イメージセンサが密着型イメージセンサである請求項１記載の原稿読み取り装置を主要な特徴とする。
【０００９】
【発明の実施の形態】
以下、図面により本発明の実施の形態を詳細に説明する。図１は本発明による画像読み取り装置の基本構成を示す概略図である。図２は図１のイメージセンサと回転体を示す概略斜視図である。
【００１０】
イメージセンサ１は筐体２およびコンタクトガラス３を含んでいる。コンタクトガラス３上にはシェーディング補正用の白基準となる白基準板である回転体４が設けてある。
【００１１】
回転体４は中心支点５を中心にコンタクトガラス３面上で回転する。原稿６を走査する前にシェーディング補正用の白データをとるために、回転体４はコンタクトガラス３面上にあり、原稿６の通過と共に、回転体４は、原稿６の搬送の妨害とならないように回転し、原稿搬送通路となる隙間ができる。符号７は読み取り位置を示している。
【００１２】
図３は本発明の画像読み取り装置に使用する回転体の第１の実施の形態を示す概略外観図である。イメージセンサ１の照明深度ベストポイントに応じて、図３の回転体４の基準面４ａ、基準面４ｂ、基準面４ｃが、回転体４の回転により原稿６の走査前にシェーディング補正用の白データを取る位置に来る。
【００１３】
イメージセンサ１の照明深度ベストポイントは、各基準面４ａ，４ｂ，４ｃを読み取ったデータからシステムで自動的に判断することも可能である。回転体４は複数の段差４ｄ，４ｅを形成することにより、４ａ〜４ｃの白基準面を構成する。
【００１４】
図１において回転体４が組み合わさった扇形１枚形状になっているのは、一つの実施例である。図４は本発明の画像読み取り装置に使用する回転体の第２の実施の形態を示す概略外観図である。回転体４は、図４のように、対称の組み合わさった扇形２枚とすることで、白基準を原稿搬送スピードに合わせて対応させる構成である。
【００１５】
図５は本発明の画像読み取り装置に使用する回転体の第３の実施の形態を示す概略外観図である。回転体４の複数の段差箇所４ｄ，４ｅにマスキング８を設けている。このマスキング８は、一つには黒色である。このマスキング８により、例えば、基準面４ｂをシェーディング補正用の白基準とし、イメージセンサ１が読み取る場合に、基準面４ａや基準面４ｃに当たる反射光によるフレアの影響を無くす。
【００１６】
図１、図２、図４のように、密着型イメージセンサの場合には、原稿がイメージセンサ１上を通過する時に支点を中心に回転する回転体４をシェーディング補正用の白基準板とし、この回転体４が複数の段差４ｄ，４ｅと複数の白基準面４ａ，４ｂ，４ｃを有する白基準構成により、原稿搬送通路を確保すると共に、原稿浮きを無くすよう押さえる。
【００１７】
例えば、回転体４は、原稿６が通過（走査位置を通過する）時には、原稿６がコンタクトガラス３面から浮かないように一回転して原稿６上まで戻ってきて原稿を押さえるような状態にすることもできる。
【００１８】
【発明の効果】
以上説明したように、請求項１によれば、イメージセンサ照明深度ベストポイントでシェーディング補正用の白基準データを取ることができると同時に、原稿搬送通路（隙間）を確保し、厚紙原稿でも対応することができる。
【００１９】
請求項２によれば、各白基準面のフレアの影響を無くすことができる。
【００２０】
請求項３によれば、とくに原稿を密着させて読み取る場合でも、イメージセンサ照明深度ベストポイントでシェーディング補正用の白基準データを取ることができると同時に、原稿搬送通路（隙間）を確保し、厚紙原稿でも対応することができる。
【図面の簡単な説明】
【図１】本発明による画像読み取り装置の基本構成を示す概略図である。
【図２】図１のイメージセンサと回転体を示す概略斜視図である。
【図３】本発明の画像読み取り装置に使用する回転体の第１の実施の形態を示す概略外観図である。
【図４】本発明の画像読み取り装置に使用する回転体の第２の実施の形態を示す概略外観図である。
【図５】本発明の画像読み取り装置に使用する回転体の第３の実施の形態を示す概略外観図である。
【符号の説明】
１　イメージセンサ
４　回転体
４ａ　基準面
４ｂ　基準面
４ｃ　基準面
４ｄ　段差
４ｅ　段差
５　支点
６　原稿
８　マスキング
【図１】
2004061864.tif 000003
【図２】
2004061864.tif 000004
【図３】
2004061864.tif 000005
【図４】
2004061864.tif 000006
【図５】
2004061864.tif 000007